(57)【要約】【課題】乾燥運転時において洗浄槽内排気に十分な量の外気を混合し、排気の温度低減と排気内水分量の削減を促進する。【解決手段】洗浄槽１内部の湿気を排出する排気口７とこの排気口７の上流側に配置し洗浄槽１から流出した洗浄槽内気に機体外から流入させた外気を混合して洗浄槽内気を冷却する混合部１３とこの混合部１３での混合割合を変化させる風量分配手段１２および送風機６を有する乾燥手段９と、前記乾燥手段９を制御する制御手段１６を備え、前記風量分配手段は、洗浄槽内気が流動する洗浄槽内気通路あるいは外気が流動する外気通路の少なくともいずれか一方の通路に、前記送風機の風圧で開度が変化するダンパーを複数個設けて排気温度の制御性を向上し、熱風感の防止と乾燥性能の向上を両立させたものである。【選択図】図１
2008253542.tif 000002
【特許請求の範囲】
【請求項１】
被洗浄物を収納する洗浄槽と、洗浄水を被洗浄物に噴出循環させる洗浄手段と、洗浄水を加熱する加熱手段と、前記洗浄槽内部の湿気を排出する排気口と前記排気口の上流側に配置し前記洗浄槽から流出した洗浄槽内気に機体外から流入させた外気を混合して洗浄槽内気を冷却する混合部と前記混合部での混合割合を変化させる風量分配手段および送風機を有する乾燥手段と、前記乾燥手段を制御する制御手段を備え、前記風量分配手段は、洗浄槽内気が流動する洗浄槽内気通路あるいは外気が流動する外気通路の少なくともいずれか一方の通路に、前記送風機の風圧で開度が変化するダンパーを複数個備えた食器洗い乾燥機。
【請求項２】
ダンパーは、開成を開始する開成開始圧を同一通路内でそれぞれ異ならせた請求項１記載の食器洗い乾燥機。
【請求項３】
開成開始圧は、流体により加わる風圧が高い部分に配置されるダンパーを風圧が低い部分に配置されるダンパーよりも高くした請求項２記載の食器洗い乾燥機。
【請求項４】
ダンパーは、支点を重心より上方に配置して自重により閉成する構成とし、それぞれ異なる自重とした請求項１〜３のいずれか１項に記載の食器洗い乾燥機。
【請求項５】
ダンパーは、流体により加わる風圧が高い部分に配置されるダンパーの自重を、風圧が低い部分に配置されるダンパーの自重よりも重くした請求項４に記載の食器洗い乾燥機。
【請求項６】
ダンパーは、外気通路に１つ形成し、洗浄槽内気通路に複数形成した請求項１〜５のいずれか１項に記載の食器洗い乾燥機。
【発明の詳細な説明】
【技術分野】
【０００１】
本発明は、キッチン等に設置され被洗浄物の収納及び自動洗浄、乾燥を行う食器洗い乾燥機に関するものである。
【背景技術】
【０００２】
従来、この種の食器洗い乾燥機は、洗浄終了後に被洗浄物を乾燥させるため外気を洗浄槽内に送風して洗浄槽内の高温度で多湿な空気を排出する構成としている（例えば、特許文献１参照）。
【０００３】
図６は、特許文献１に記載された従来の食器洗い乾燥機を示すものである。図６に示すように、被洗浄物を収納する洗浄槽１と、洗浄水を噴射する洗浄ノズル２と洗浄水を加圧する洗浄ポンプ３を有する洗浄手段４と、洗浄水を加熱する加熱手段５と、洗浄槽１に外気を送風する送風機６と、洗浄槽１内部の空気を排気する排気口７と、排気口７に設けた外気を混合させる排気補助手段８から構成されている。
【特許文献１】特開２０００−１６６８４７号公報
【発明の開示】
【発明が解決しようとする課題】
【０００４】
しかしながら、前記従来の構成では排気口に流入する高温高湿の主流が持つ流体力で新たな外気を副流として排気に混合させるもので、高温多湿の洗浄槽内排気の温度を低減できるものの排出される風の熱風感を回避できるまで十分冷却するには風量が足りないという課題を有していた。
【０００５】
本発明は、前記従来の課題を解決するもので、乾燥運転時において洗浄槽内排気に十分な量の外気を混合し、排気の温度低減と排気内水分量の削減を促進して排気の快適性を高めた食器洗い乾燥機を提供することを目的とする。
【課題を解決するための手段】
【０００６】
前記従来の課題を解決するために、本発明の食器洗い乾燥機は、洗浄槽内気が流動する洗浄槽内気通路あるいは外気が流動する外気通路の少なくともいずれか一方の通路に、前記送風機の風圧で開度が変化するダンパーを複数個備えた風量分配手段を設けたものである。
【０００７】
これによって、通路抵抗の低減とダンパーの小型化軽量化による風圧での確実な開閉動作がなされ、風量比の制御幅を拡大して排気温度の制御性を向上による熱風感の確実な防止と乾燥性能の向上を両立できる。
【発明の効果】
【０００８】
本発明の食器洗い乾燥機は、乾燥運転時に排出される温湿度を低減した排気による熱風感の確実な防止と乾燥性能の向上の両立ができる。
【発明を実施するための最良の形態】
【０００９】
第１の発明は、被洗浄物を収納する洗浄槽と、洗浄水を被洗浄物に噴出循環させる洗浄手段と、洗浄水を加熱する加熱手段と、前記洗浄槽内部の湿気を排出する排気口と前記排気口の上流側に配置し前記洗浄槽から流出した洗浄槽内気に機体外から流入させた外気を混合して洗浄槽内気を冷却する混合部と前記混合部での混合割合を変化させる風量分配手段および送風機を有する乾燥手段と、前記乾燥手段を制御する制御手段を備え、前記風量分配手段は、洗浄槽内気が流動する洗浄槽内気通路あるいは外気が流動する外気通路の少なくともいずれか一方の通路に、前記送風機の風圧で開度が変化するダンパーを複数個備えたことにより、通路抵抗の低減がなされ、またダンパーの小型化軽量化により風圧での確実な開閉動作が可能となり、洗浄槽内気と外気との風量比の制御幅を拡大して排気温度の制御性を向上による熱風感の確実な防止ができ、また洗浄槽内気風量の増大により乾燥時間の短縮あるいは乾燥性能の向上との両立ができる。
【００１０】
第２の発明は、特に、第１の発明のダンパーは、開成を開始する開成開始圧を同一通路内でそれぞれ異ならせたことにより、複数のそれぞれのダンパーが確実な開閉動作を行うようにできるので、通路抵抗の安定化がなされ洗浄槽内気と外気との風量比の制御の信頼性を向上できる。
【００１１】
第３の発明は、特に、第２の発明の開成開始圧は、流体により加わる風圧が高い部分に配置されるダンパーを風圧が低い部分に配置されるダンパーよりも高くしたことにより、複数のダンパーの開き具合を平準化させ、ダンパーを配置する通路の断面全体を流体が流動するように有効利用して通路抵抗を低減でき、送風機の小型化・低入力化ができる。
【００１２】
第４の発明は、特に、第１〜第３のいずれか１つの発明のダンパーは、支点を重心より上方に配置して自重により閉成する構成とし、それぞれ異なる自重としたことにより、開成を開始状態の設定が確実になされて動作の信頼性を確保でき、構成の簡素化と低コスト化ができる。
【００１３】
第５の発明は、特に、第４の発明のダンパーは、流体により加わる風圧が高い部分に配置されるダンパーの自重を、風圧が低い部分に配置されるダンパーの自重よりも重くしたことにより、簡単な構成で複数のダンパーの開き具合を確実に平準化できる。
【００１４】
第６の発明は、特に、第１〜第５のいずれか１つの発明のダンパーは、外気通路に１つ形成し、洗浄槽内気通路に複数形成したことにより、通路構成のコンパクト化と動作の信頼性向上を両立できる。
【００１５】
以下、本発明の実施の形態について、図面を参照しながら説明する。なお、この実施の形態によって本発明が限定されるものではない。
【００１６】
（実施の形態１）
図１は本発明の第１の実施の形態の食器洗い乾燥機の構成を示す断面図である。図１において、食器などの被洗浄物を収納する洗浄槽１の下方には、洗浄水を被洗浄物に噴出して循環させる洗浄ノズル２と洗浄水を加圧する洗浄ポンプ３を有する洗浄手段４と、洗浄水を加熱し昇温させる加熱手段５を配置している。また、洗浄槽１内の湿気を排出して洗浄槽１内を乾燥させるため外気を送風する送風機６、洗浄槽１内の湿気を排出する排気口７を乾燥手段９は有し、洗浄槽１にはその下方に外気を流入させる流入口１０を設け、その上方には洗浄槽１内の空気（洗浄槽内気）を排出させる流出口１１を設けている。
【００１７】
送風機６の下流側には風量を分配する風量分配手段１２を接続し、この風量分配手段１２の下流側には、外気を混合部１３に導入する外気通路１４と、洗浄槽１の流入口１０、洗浄槽１、流出口１１を経て混合部１３に連通する洗浄槽内気通路１５を配置している。また混合部１３は、その出口側を排気口７に連通させ、混合部１３の入口側を外気通路１４および洗浄槽内気通路１５である流出口１１に連通させている。
【００１８】
このように風量分配手段１２の上流側に送風機６を配置し、排気口７の上流側には外気と洗浄槽内気を混合する混合部１３を配置している。
【００１９】
風量分配手段１２は外気通路１４と洗浄槽内気通路１５への流動抵抗を変化させて風量を分配するもので、混合部１３における外気と洗浄槽内気との混合時の流量割合を変化させる。
【００２０】
制御手段１６は乾燥手段９を制御するもので、送風機６の風量を制御する風量制御部１７と、洗浄槽１内の温度を検知する洗浄槽温度検知部１８、混合部１３の下流側に設けた排気の温度を検知する排気温度検知部１９あるいは送風機６が吸込む外気の温度を検知する外気温度検知部２０での検知温度を基に制御量を設定する温度制御部２１を有している。
【００２１】
このように乾燥手段９は排気口７および送風機６だけでなく、排気口７の上流側に配置した外気と洗浄槽内気を混合する混合部１３と、外気と洗浄槽内気との混合割合を変化させる風量分配手段１２を備えている。
【００２２】
洗浄槽１は、洗浄水を供給する給水弁２２を備えた給水管２３と、洗浄水を排水する排水弁２４を備えた排水管２５を設け、筐体２６から引き出すことができるスライド体２７に収納されている。このスライド体２７には外部と連通する通気口２８を設けている。
【００２３】
図２は、図１に示す風量分配手段１２を示したもので、風量分配手段１２は、流動する流体（図中黒抜き矢印で示す）の圧力、即ち送風機６の風圧で開度が変化するダンパー２９としたもので、外気通路１４と洗浄槽内気通路１５の各通路のうち少なくとも洗浄槽内気通路１５に設けて洗浄槽内気通路１５側の通路抵抗が外気通路１４側よりも大きくなるようにし、外気通路１４側への風量が洗浄槽内気通路１５側より多くなるようにしている。
【００２４】
ここでは、外気通路１４に配置した複数枚のダンパー２９ａ、２９ｂと洗浄槽内気通路１５に配置した複数枚のダンパー２９ｃ、２９ｄを外気通路１４と洗浄槽内気通路１５の両通路に設けている。このダンパー２９の支点３０はその重心より上方に配置して支持し、垂直面より若干傾けた弁座３１で受けるようにして自重によりダンパー２９は閉成する構成としている。
【００２５】
また、ダンパー２９の開成を開始する流体圧は洗浄槽内気通路１５よりも外気通路１４側を低く設定するため、外気通路１４のダンパー２９ａ、２９ｂの厚さＴ１は洗浄槽内気通路１５のダンパー２９ｃ、２９ｄの厚さＴ２より薄く（Ｔ１＜Ｔ２）形成し、外気通路１４側のダンパー２９ａ、２９ｂは洗浄槽内気通路１５側のダンパー２９ｃ、２９ｄよりも軽くしている。また、通路の曲がりＲａ、Ｒｂの外側に位置するダンパー２９ａあるいはダンパー２９ｃには錘体３２ａ、３２ｂを設けて重くしている。
【００２６】
また、外気通路１４にダンパー２９ａ、２９ｂ、洗浄槽内気通路１５にダンパー２９ｃ、２９ｄと各通路に複数枚のダンパー２９を設けることで、ダンパー２９の支点３０からの長さＬ１、Ｌ２を短くしている。
【００２７】
以上のように構成された食器洗い乾燥機について、以下その動作、作用を説明する。まず、筐体２６からスライド体２７を引き出して被洗浄物である食器を洗浄槽１内に収納し、スライド体２７を元に戻して洗浄を開始する。洗浄運転開始とともに給水弁２２を開成して給水管２３から洗浄槽１に給水し、所定量の給水が行われると給水弁２２を閉成して給水停止し、加熱手段５および洗浄手段４である洗浄ポンプ３の運転により洗浄ノズル２から温水を噴出させて被洗浄物である食器に噴きつけ循環させる。洗浄水が噴出する反力で洗浄ノズル２部が回転することで被洗浄物に洗浄水を行き渡らせ、洗浄性を高めている。
【００２８】
ここでは加熱手段５を運転して温水で洗浄する場合を示したが、被洗浄物の汚れが弱い場合は加熱手段５を運転させずに給水温度で洗浄すれば良く、また被洗浄物の汚れが強い場合は洗剤を入れて洗浄する。洗浄運転が終了すると排水弁２４を開成して洗浄水を排水管２５から筐体２６の外部に排水し、排水し終わると排水弁２４を閉成する。
【００２９】
次に行うすすぎ運転では洗剤を投入せずに、洗浄運転と同様に給水し、加熱手段５および洗浄ポンプ３の運転により洗浄ノズル２から温水を噴出させて被洗浄物である食器に噴きつけ循環させる。このすすぎ運転の後に行う被洗浄物を乾かす乾燥運転のため、すすぎ運転では被洗浄物を暖めておくのが好ましく、７０℃〜８０℃程度の高温水ですすぎ運転を実施すれば殺菌処理ができる。すすぎ運転終了後は洗浄運転終了時と同様に洗浄槽１内のすすぎ水を排水する。
【００３０】
次に行う乾燥運転では、すすぎ運転により高温高湿になっている洗浄槽１内の空気を排出して被洗浄物を乾かすため、送風機６を運転するとともに風量分配手段１２で外気通路１４と洗浄槽内気通路１５に分流させ、外気を混合部１３および洗浄槽１に送る。
【００３１】
図２では、送風機６の運転により高まった風圧により外気通路１４側のダンパー２９ａ、２９ｂが開成を開始し、洗浄槽内気通路１５側のダンパー２９ｃ、２９ｄはまだ閉止している状態を示しており、送風機６から送られた外気は図中黒抜き矢印で示すように外気通路１４側に流れる。さらに、通路の曲がりＲａのために外気通路１４側の流速分布Ｖａは曲がりの外側に最大流速が形成される非対称な流れになるためダンパー２９ａ、２９ｂには異なる流体圧が加わり、流速が速くなっているダンパー２９ａ側はダンパー２９ｂ側よりも大きな開成力が作用する。
【００３２】
ダンパー２９ａには錘体３２ａが取り付けられて自重をダンパー２９ｂより重くし開成を開始する開成開始圧を異ならせているので、流速が異なるところに配置されにも関わらず、流体が流れる時のそれぞれのダンパー２９ａ、２９ｂの開度はほぼ同等に平準化されている。
【００３３】
この状態では、排気口７から送風機６から送られた外気が流出するだけであるが、送風機６の風量をさらに若干高めることにより洗浄槽内気通路１５側のダンパー２９ｃ、２９ｄが僅かに開いて漏れるように洗浄槽内気通路１５側へ流れ始め、排気口７から洗浄槽内気を外気で十分冷却した排気が流出する。
【００３４】
この乾燥運転開始時の送風機６の風量設定は、洗浄槽温度検知部１８の温度に応じて行い、洗浄槽１の温度が高い場合は洗浄槽内気に対する外気の風量比（外気風量／洗浄槽内気風量）が大きくなるようにする。また、より正確に風量比を設定するため、外気温度検知部２０の温度が高い場合は風量比を少し大きくして補正する。さらに、このように設定した風量比でも排気温度検知部１９の温度が所定値を越える場合は、外気の風量比がさらに大きくなるように補正を行う。
【００３５】
図３は、制御手段１６の風量制御部１７で送風機６の風量を図２での風量よりも増加させて風圧を高めることにより、外気通路１４のダンパー２９ａ、２９ｂはその開度がさらに大きくなるとともに、洗浄槽内気通路１５のダンパー２９ｃ、２９ｄが開成を開始した状態を示しており、送風機６から送られた外気は外気通路１４と洗浄槽内気通路１５の両方に流れ、外気通路１４側の風量は図中矢印の大きさで示すように洗浄槽内気通路１５側より多く流れている。ダンパー２９ｃには錘体３２ｂを取り付けて自重をダンパー２９ｄより重くしているので、流速が異なるところに配置されていても流体が流れる時の洗浄槽内気通路１５側のそれぞれのダンパー２９ｃ、２９ｄの開度は外気通路１４側と同様に平準化され、複数のダンパー２９ｃ、２９ｄの一方だけが開放となり他方が開かず圧損が増加するという不具合を防いでいる。
【００３６】
このように同一通路に複数のダンパー２９を設けることで、ダンパー２９の支点３０からの長さＬ１、Ｌ２を短くでき、ダンパー２９の全開時でもより小さいスペースに収納できるので風量分配手段１２の小型化ができる。また、各通路の断面積を大きくすることが容易になりダンパー２９での圧損を減らして通路抵抗を低減でき、通路抵抗を小さくできる。そのうえ、ダンパー２９自体の小型化軽量化でわずかな風圧変化でも確実な開閉動作を可能として風量比の制御幅を拡大して、熱風感を確実に防止できる。また、ダンパー２９の上流に曲がりなどを加えて複数のダンパー２９への流速分布が偏っても複数のダンパー２９の開度を平準化できるので、通路構成の自由度を向上でき、通路のコンパクト化ができる。
【００３７】
さらに、同一通路に設けた複数のダンパー２９が開成を開始する開成開始圧を配置される断面位置によって異ならせたことで、複数のそれぞれのダンパー２９が確実な開閉動作を行うようにでき、開成時の通路抵抗が安定化がなされ洗浄槽内気と外気と風量比制御の信頼性を向上できる。
【００３８】
また、流体により加わる風圧が高い部分に配置されるダンパー２９の開成開始圧は、風圧が低い部分に配置されるダンパー２９の開成開始圧よりも高くしているので、同じ通路に設けた複数のダンパー２９の開き具合（開度）をほぼ同等に平準化でき、ダンパー２９を配置する通路の断面全体を流体が流動するように有効利用して通路抵抗を低減でき、送風機の小型化・低入力化ができる。
【００３９】
また、流体により加わる風圧が高い部分に配置されるダンパー２９ａ、２９ｂの自重を、風圧が低い部分に配置されるダンパー２９ｂ、２９ｄの自重よりも重くするという簡単な構成で複数のダンパーの開き具合を確実に平準化できる。
【００４０】
また、ダンパー２９は支点３０を重心より上方に配置して自重により閉成する構成とし、それぞれ異なる自重としたことにより、開成を開始状態の設定が確実になされて動作の信頼性を確保でき、構成の簡素化と低コスト化ができる。
【００４１】
特に、高温水ですすぎ運転を行った場合は排気口７から洗浄槽１内の高温高湿の空気を直接排出しないように、送風機６の運転開始時には外気通路１４側への風量が洗浄槽内気通路１５側への風量よりも多くなるように送風量を制御する。これにより、多量の外気に少量の高温高湿の洗浄槽内気を混合させた排気がなされるので、外気による洗浄槽内気の冷却性を高めて乾燥運転開始時に高温の排気が排出されるのを防止でき、また外気による洗浄槽内気の冷却時に洗浄槽内気の水分を凝縮させて排水することで排気中の水分を削減できるので、設置した室内などの空間の湿度アップを少なくして快適性を向上できる。
【００４２】
また、図２のように送風機６の運転開始時には洗浄槽内気通路１５側を閉止状態とするとともに外気通路１４側を開成状態として、さらに送風機６の風量を徐々に増やして洗浄槽内気通路１５側を開けて行くことにより、多量の外気に少量の洗浄槽内気を徐々に混合させていくようにできるので、排気口７から高温高湿の排気が排出されるのを確実に防止できる。
【００４３】
さらに乾燥運転の進行に伴って、洗浄槽１内への外気の流入により洗浄槽内気の湿度が低下し、洗浄槽内気のエンタルピが下がるため排気口７から流出する排気の温度を所定値以下に冷却するに要する外気風量は少なくて済むようになる。従って、乾燥状態の進行に伴い混合部１３への外気風量は少なくすることができ、その分を洗浄槽内気通路１５側に振向けて洗浄槽１内への風量を増加させることで被洗浄物の乾燥性能を高めることができる。
【００４４】
図４は、送風機６の風量を図３での風量よりもさらに増加させて風圧をさらに高めた場合を示し、外気通路１４側のダンパー２９ａ、２９ｂおよび洗浄槽内気通路１５側のダンパー２９ｃ、２９ｄが共に全開になった状態を示しており、外気通路１４と洗浄槽内気通路１５への流量分配は風量分配手段１２では決まらず各通路での排気口７までの全圧損でそれぞれ決まる状態となる。
【００４５】
ここでは、洗浄槽内気通路１５側の通路圧損を外気通路１４側よりも小さくしたもので、洗浄槽内気通路１５を形成する洗浄槽１の断面積は充分大きいため、洗浄槽内気通路１５の通路抵抗を外気通路１４の通路抵抗より小さくする設計は容易であり、外気通路１４の長さを長くすることや、通路の断面積を絞ることにより所定流量以上では通路抵抗の増大により風量増が頭打ちにする抵抗部（図示せず）を設けることで、乾燥運転の進行に伴い運転途中で洗浄槽内気通路１５側のダンパー２９ｃ、２９ｄが全開したときには、洗浄槽内気通路１５側の風量が外気通路１４側の風量より多くして、洗浄槽内気通路１５側への風量割合を増加させて乾燥促進がなされる。
【００４６】
ここまでは、乾燥運転時に加熱手段５を運転せずにすすぎ運転時の被洗浄物が持つ余熱を利用して乾燥させる場合を説明したが、乾燥運転時に加熱手段５を運転することで、洗浄槽１内に流入口１０から流入した外気を加熱昇温させることにより乾燥を促進できるのは言うまでも無く、加熱手段５近傍の風速を高く保つほど加熱手段５の出力を大きくして乾燥性能を高めることが可能となる。
【００４７】
特に、乾燥運転時に加熱手段５の作動により洗浄槽１の温度が高くなる場合は、風量比が大きくなるように送風機６の風量を風量制御部１７で増加させることで、洗浄槽内気通路１５側への風量を高め、流入口１０での風速を高めて加熱手段５での熱伝達を促進できる。このため、洗浄槽内気風量の増大により乾燥時間の短縮あるいは乾燥性能を向上できる。
【００４８】
図５は、ダンパー２９が全開時に洗浄槽内気通路１５側の風量が外気通路１４側の風量より多くなるように設定した実施例を示す。図５では外気通路１４側の断面積を小さくして通路抵抗を増大させて洗浄槽内気通路１５側への風量比を増加させたもので、断面積の縮小に対して外気通路１４側のダンパー２９ａは一つとして、洗浄槽内気通路１５側の風量が外気通路１４側の風量より多くしている。
【００４９】
このため、通路構成のコンパクト化と小型化が可能となり、さらにダンパー２９が全開時の風量比が明確に設定されて風量分配が安定化できる。従って、通路構成のコンパクト化と動作の信頼性向上を両立できる。
【００５０】
なお、洗浄槽温度検知部１８、排気温度検知部１９あるいは外気温度検知部２０での検知温度を基に温度制御部２１で風量比の補正を設定し、制御手段１６の風量制御部１７で送風機６の風量を制御する場合を示したが、乾燥運転経過時間により風量分配を変化させることは可能であり、洗浄槽温度検知部１８、排気温度検知部１９、外気温度検知部２０を省いて低コスト化できるのは言うまでも無い。
【００５１】
以上のように、本実施の形態においては、風量分配手段は洗浄槽内気が流動する洗浄槽内気通路あるいは外気が流動する外気通路の少なくともいずれか一方の通路には複数個で形成した前記送風機の風圧で開度が変化するダンパーを備えたことにより、通路抵抗の低減がなされ、またダンパーの小型化軽量化により風圧での確実な開閉動作が可能となり、洗浄槽内気と外気との風量比の制御幅を拡大して排気温度の制御性を向上による熱風感の確実な防止ができ、また洗浄槽内気風量の増大により乾燥時間の短縮あるいは乾燥性能の向上との両立ができる。
【００５２】
また、本実施の形態のダンパーは、開成を開始する開成開始圧を同一通路内でそれぞれ異ならせたことにより、複数のそれぞれのダンパーが確実な開閉動作を行うようにできるので、通路抵抗の安定化がなされ洗浄槽内気と外気との風量比の制御の信頼性を向上できる。
【００５３】
また、本実施の形態の開成開始圧は、流体により加わる風圧が高い部分に配置されるダンパーを風圧が低い部分に配置されるダンパーよりも高くしたことにより、複数のダンパーの開き具合を平準化させ、ダンパーを配置する通路の断面全体を流体が流動するように有効利用して通路抵抗を低減でき、送風機の小型化・低入力化ができる。
【００５４】
また、本実施の形態のダンパーは、支点を重心より上方に配置して自重により閉成する構成とし、それぞれ異なる自重としたことにより、開成を開始状態の設定が確実になされて動作の信頼性を確保でき、構成の簡素化と低コスト化ができる。
【００５５】
また、本実施の形態のダンパーは、流体により加わる風圧が高い部分に配置されるダンパーの自重を、風圧が低い部分に配置されるダンパーの自重よりも重くしたことにより、簡単な構成で複数のダンパーの開き具合を確実に平準化できる。
【００５６】
また、本実施の形態のダンパーは、外気通路を単一で形成し、洗浄槽内気通路を複数で形成したことにより、通路構成のコンパクト化と動作の信頼性向上を両立できる。
【産業上の利用可能性】
【００５７】
以上のように、本発明にかかる食器洗い乾燥機は、乾燥時の排気温度の熱風感の確実な防止と発生する高温高湿の空気条件に応じた冷却ができるので、蒸気を発生する炊飯器や電気湯沸し器などの家庭用機器などに適用することができる。
【図面の簡単な説明】
【００５８】
【図１】本発明の実施の形態１における食器洗い乾燥機の構成図
【図２】図１における風量分配手段の断面図
【図３】図２における風量分配手段の他の状態を示す断面図
【図４】図２における風量分配手段の他の状態を示す断面図
【図５】図１における風量分配手段の他の構成を示す断面図
【図６】従来の食器洗い乾燥機の構成図
【符号の説明】
【００５９】
１  洗浄槽
４  洗浄手段
５  加熱手段
６  送風機
７  排気口
９  乾燥手段
１２  風量分配手段
１３  混合部
１４  外気通路
１５  洗浄槽内気通路
１６  制御手段
２９  ダンパー
３０  支点
【図１】
2008253542.tif 000003
【図２】
2008253542.tif 000004
【図３】
2008253542.tif 000005
【図４】
2008253542.tif 000006
【図５】
2008253542.tif 000007
【図６】
2008253542.tif 000008